(57)【要約】【課題】本発明は、トイレを使用する場合において、ゆるみの大きいズボン類がずり落ちて床や便器に付くことを防ぎ、且つ用便や身仕舞いを容易にすることを目的とする、着衣のずり落ち防止具を提供しようとする。【解決手段】本発明は、両端にフックａ２・ｂ３を付けた弾性素材の紐１を、ぜんまい内臓の容器４に入れて自動巻き取り式にしたものであり、紐の長さを半分に折って収めることで、引き出す長さを短くしたことを特徴とする。さらに容器が無い形として、弾性素材の紐１と両端に付けたフックａ２・ｂ３から成るもので、いずれの形も着脱が簡単であり、着衣の上から必要個所を１本の紐で括ることで、裾と股上のずり落ちを同時に防止することを特徴とする。【選択図】図３
2019002113.tif 000002
【特許請求の範囲】
【請求項１】
弾性素材の紐１の片端にフックａ２、反対の端にフックｂ３を付ける。これをぜんまい仕掛けの容器に収め、「自動巻き取り式」にする。その方法は、紐１を長さ半分に折り、折った部分をぜんまい５を入れた枠６に接続し、２本になった紐を一緒に枠に巻きつけて容器４に収める。フックが紐引き出し口７のストッパーを兼ねる。容器の中央には巻き取り用のボタン８を設ける。以上の構成より成る、着衣のずり落ち防止具。
【請求項２】
請求項１記載の着衣のずり落ち防止具において、ぜんまい仕掛けの容器を省いた、紐ととフックから成る着衣のずり落ち防止具。
【請求項３】
請求項２の着衣のずり落ち防止具において、紐１に紐ストッパーを付けた着衣のずり落ち防止具。
【発明の詳細な説明】
【技術分野】
【０００１】  本発明は、トイレを使用する時に、ゆるみの大きいズボン類が床にずり落ちないようにするための道具に関するものである。
【背景技術】
【０００２】  トイレを使用する時に、ゆるみの大きいズボン類を着用している場合は、裾が床に付かないようにするために折り上げたり、股上部分が落ちないように両膝で挟んだりして苦労する。この、「ずり落ちて困る」という不満を解決するような商品が多く販売されておらず、常時、店舗で目にすることがないのが実情である。自転車に乗る際に使われる「裾止めバンド」というものがあるが、名前の通りズボンの裾を括るのみのバンドである。インターネットで調べると、女性にふさわしいと思われるデザインのバンドがあり、こちらも２個１セットで売られていた。そして、それらは片脚に１本のベルトを巻く形であり、主にベルトの両端に設けた面ファスナーやボタンで留める形のものであった。
【先行技術文献】
【０００３】
【特許文献１】（ａ）実開平４−２１５１５  （ｂ）実願平７−１１２４８
【発明の概要】
【発明が解決しようとする課題】
【０００４】（イ）  特許文献１（ａ）に記載のベルトや、インターネット販売で見たベルトは、伸縮      性のベルトを面ファスナーやボタンで接続するものであったが、面ファスナーは、      オスの面を服地やカバン、服飾品等に接触させた場合、それらを傷める恐れがあり      、ボタンのものは急ぐ場合など、掛け外しに戸惑う事がある。また、片足用なので      、両脚の着脱に時間を要する。
（ロ）  特許文献１（ｂ）に記載のベルトは１本のゴムベルトを、バネを利用した巻尺の      形容に仕立てたものであるが、１本のベルトでは長過ぎて、バネで巻き取る際には      ねじれに注意する必要がある。ねじれて巻かれたベルトは引き出すのが容易ではな      い。
本発明は、以上のような問題を解決するためになされたものである。
【課題を解決するための手段】
【０００５】（イ）  弾性素材の紐１の両端にそれぞれ１個のフックａ２・ｂ３を付け、この紐１を長      さ半分の位置で折ってぜんまい内臓の容器４に取り付ける。使用後は巻き取りボタ      ン８を押して巻き取る。
（ロ）（イ）の容器を省いた形。弾性素材の紐１の両端にフックａ２・ｂ３を付ける。
本発明は、以上の構成よりなる着衣のずり落ち防止具である。
【発明の効果】
【０００６】（イ）紐に設けた二つのフックを掛けて輪にするだけなので、付け外しが素早くでき、面      ファスナーと比べると周りを傷める心配がない。
（ロ）収納容器をぜんまい仕掛けにして「自動巻き取り式」にしたものは、伸縮性のある      紐を長さ半分に折り、引き出す長さを短くしたことで、素早く紐の出し入れができ      ることと、紐を巻き取る際にからまりにくくする効果がある。コンパクトで携帯し      やすい利便性を備えている。
（ハ）紐とフックのみの構造のものは、必要に応じて結び目を作る他、紐ストッパーを後      付けして長さの調節を施すことが可能であり、親子で共有することもできる。
（ニ）ズボン類においての使い方（紐の巻き方及びフックの掛け方）は多様であり、脚の      太さや布地の素材・厚み・長さ等に対応した任意の方法で着脱できる。両脚の間に      渡った紐に股上部分が掛るので、裾と股上部分がずり落ちることがない。また、ウ      エストにファスナー等の開口部があるものは、その先端を紐に挟み込むことで、履      き口も落ちない。これにより、用便や身仕舞いが楽に行なえる。
（ホ）長めで幅広のスカートや長めの上着の裾を、胴周りに固定することにも使える。
（ヘ）幼児や高齢者、障害者等の用便の介助の際に使用すると、動作が楽になり、心身の      負担を軽くする。
以上を踏まえ、本発明は、スーツ姿のサラリーマンや着衣に気を使う芸能界関係者、制服着用の学生・社会人、幅広パンツでおしゃれを楽しむ人々、介助を行なう人等の不便を解消する道具となると考える。多くの人に普及すれば、一人一人の動作が早くなり、公衆トイレの行列の待ち時間が少なくなる効果がある。
【発明を実施するための形態】
【０００７】以下、本発明を実施するための形態について説明する。
【実施例１】  弾性素材の紐１の片方の端にフックａ２を、もう一方の端にフックｂ３を付ける。これを中央に巻き取りボタン８を設けたぜんまい仕掛けの容器４に取り付ける。取り付け方は、紐を長さ中央で二つに折り、折った個所をぜんまいの枠６に接続し、２本となった紐を一緒に巻き取る。フックａ２、フックｂ３の大きさを、容器４の紐の引き出し口７より大きいものとし、ストッパーを兼ねる。これを使用する時は、２つのフックをつまんで２本の紐を一諸に引き出し、使用後は２本の紐を持ちながら巻き取りボタンを押して巻き取る。
【実施例２】
【０００８】  弾性素材の紐１の片方の端にフックａ２を、もう一方の端にフックｂ３を付ける。実施例１の容器を省いた形のものである。紐を結んで短くしたり、紐ストッパーを後付けして長さを調節することができるので、親子で共有することができる利点がある。【０００９】  本発明は以上のような構造である。使用方法は、紐１を必要個所に巻き付けて、フックａ２とフックｂ３を使って任意に輪を作る。例としてあげれば次のとおりである。紐を後ろにまわして両端を持ち、両脚を束に巻いて前中央でフック同士を掛け合わせる（図４（イ））。その後、両脚の間で平行に張られた向かい側の紐にフックを掛けると、８の字のようになり、両脚が狭まっても落ちにくくなる（図４（ロ））。紐を片方の脚に巻いてからフックを紐に掛け、もう片方も同様にする（図４（ハ））。８の字を描くように、紐を両脚の間で交差させて巻き、フック同士を掛け合わせる（図４（ニ））。
【図面の簡単な説明】
【００１０】
【図１】  本発明の平面図である。
【図２】  本発明の平面図である。
【図３】  本発明の使用状態を示す正面図である。（図２の例）
【図４】  （イ）本発明の使用方法の例を示す図である。（図２の例）  （ロ）本発明の使用方法の例を示す図である。（図２の例）  （ハ）本発明の使用方法の例を示す図である。（図２の例）  （ニ）本発明の使用方法の例を示す図である。（図２の例）
【符号の説明】
【００１１】  １    弾性素材の紐
２    フックａ
３    フックｂ
４    ぜんまい内臓の容器
５    ぜんまい
６    ぜんまいの枠
７    紐引き出し口
８    巻き取りボタン
９    脚
１０  ズボン類
【図１】
2019002113.tif 000003
【図２】
2019002113.tif 000004
【図３】
2019002113.tif 000005
【図４】
2019002113.tif 000006